(57)【特許請求の範囲】
【請求項１】
カメラの電源スイッチがオンされることにより撮影可能位置に繰り出され、電源スイッチがオフされることにより沈胴位置に収納される沈胴式のレンズ鏡胴を有するカメラに設けられ、レンズ鏡胴の前面を覆う閉位置とレンズ鏡胴の繰り出しを許容する開位置との間で移動自在に設けられたバリアを少なくとも開位置でクリックストップするクリックストップ機構において、
前記バリアに隠されるカメラ本体の前面に設けられ、隣り合う端部が互いに所定の隙間をもって配置された弾性を有する一対の導通部材と、前記端部の相互間に嵌まり込むことによりバリアを開位置にクリックストップすると同時に導通部材を短絡して電源スイッチをオンするとともにバリアの開位置から閉位置への初期移動に応動してバリアのクリックストップ及び導通部材の短絡を解除して電源スイッチをオフする導電性部材とからなることを特徴とするバリアのクリックストップ機構。
【請求項２】
前記導電性部材は、バリアの開閉動作により転がり移動される形状をしているとともに、前記一対の導通部材の隣り合う端部は、導電性部材が嵌まり込むように凹形状をしていることを特徴とする請求項１記載のバリアのクリックストップ機構。
【請求項３】
前記導電性部材は球形状をしているとともに、前記一対の導通部材の隣り合う端部は、前記導電性部材の球形状に対応した凹の半球状をしていることを特徴とする請求項２記載のバリアのクリックストップ機構。
【請求項４】
前記バリアの裏面には、バリアの開閉動作により導通部材が短絡する短絡位置と導通部材の短絡が解除される解除位置との間で導電性部材を移動させるガイド溝が形成してあることを特徴とする請求項１ないし３いずれか記載のバリアのクリックストップ機構。
【請求項５】
前記導通部材の端部とは別の端部をブラシ状に形成し、前記導通部材をカメラ本体の前面に取り付けた際に、前記ブラシ状の端部が電源スイッチに接続したフレキシブル基板の一端部に接触されるようにしたことを特徴とする請求項１ないし４いずれか記載のバリアのクリックストップ機構。
【請求項６】
カメラの電源スイッチがオンされることにより撮影可能位置に繰り出され、電源スイッチがオフされることにより沈胴位置に収納される沈胴式のレンズ鏡胴を有するカメラに設けられ、レンズ鏡胴の前面を覆う閉位置とレンズ鏡胴の繰り出しを許容する開位置との間で移動自在に設けられたバリアを少なくとも開位置でクリックストップするクリックストップ機構において、
前記バリアに隠されるカメラ本体の前面に長手方向がバリアの開閉方向と直交する方向に配置され、少なくとも一部が互いに所定の隙間でほぼ平行に離間された棒状の弾性を有する一対の導通部材と、前記バリアの開位置で前記一対の導通部材とバリアの裏面との間に嵌まることによりレンズバリアを開位置にクリックストップするとともに導通部材を短絡して電源スイッチをオンするオン位置とバリアの開位置から閉位置への初期移動に応動して前記一対の導通部材の少なくとも一方から外れることにより導通部材の短絡を解除して電源スイッチをオフするオフ位置との間で移動される導電性の球状部材とからなることを特徴とするバリアのクリックストップ機構。
【発明の詳細な説明】
【０００１】
【発明の属する技術分野】
本発明は、バリアのクリックストップと沈胴式のレンズ鏡胴の移動制御とを兼用したバリアのクリックストップ機構に関するものである。
【０００２】
【従来の技術】
カメラの電源スイッチがオンされることにより撮影可能位置に繰り出され、電源スイッチがオフされることにより沈胴位置に収納される沈胴式の撮影レンズを備え、不使用時に沈胴位置にある撮影レンズの前面を覆って撮影レンズを保護するバリアが設けられたカメラが市販されている。バリアは、撮影レンズの前面を覆う閉位置とレンズ鏡胴の繰り出しを許容する開位置との間でカメラ本体の前面に撮影光軸に直交してスライド自在に設けられ、開位置，閉位置のそれぞれでクリックストップされるものが多い。
【０００３】
このようなクリックストップ機構には、特にバリアの不用意な閉じ操作によって撮影レンズのレンズ鏡胴周面に損傷を与えることを防止した特許第２５０３５７９号公報記載の特許発明が知られている。この特許発明では、バリアの開位置から閉位置への移動を阻止する阻止位置と、バリアの開位置から閉位置への移動を許容する開放位置との間でモータの駆動力により回動されるストッパー部材を設け、レンズ鏡胴が沈胴位置から撮影可能位置に移動するのに連動してストッパー部材を阻止位置に回動させ、またレンズ鏡胴が撮影可能位置から沈胴位置に移動してバリアの移動経路から退避するのに連動してストッパー部材を開放位置に回動させるようにしている。
【０００４】
【発明が解決しようとする課題】
しかしながら、上記公報記載の実施例は、レンズ鏡胴を撮影可能位置と沈胴位置との間で移動させる機構と、バリアの開位置から閉位置への移動を阻止するストッパー部材の駆動機構とが別々に構成されているため、カメラの部品点数が多く、機構が複雑になって、カメラの小型化やローコスト化が困難になるという欠点がある。
【０００５】
本発明は、以上の事情に鑑みてなされたもので、簡易な構成でありながらレンズ鏡胴の移動制御とバリアのクリックストップとを兼用し、カメラの小型化やローコスト化に寄与できるバリアのクリックストップ機構を提供することを目的とする。
【０００６】
【課題を解決するための手段】
上記目的を達成するため、本発明のバリアのクリックストップ機構は、カメラの電源スイッチがオンされることにより撮影可能位置に繰り出され、電源スイッチがオフされることにより沈胴位置に収納される沈胴式のレンズ鏡胴を有するカメラに設けられ、レンズ鏡胴の前面を覆う閉位置とレンズ鏡胴の繰り出しを許容する開位置との間で移動自在に設けられたバリアを少なくとも開位置でクリックストップするクリックストップ機構において、前記バリアに隠されるカメラ本体の前面に設けられ、隣り合う端部が互いに所定の隙間をもって配置された弾性を有する一対の導通部材と、前記端部の相互間に嵌まり込むことによりバリアを開位置にクリックストップすると同時に導通部材を短絡して電源スイッチをオンするとともにバリアの開位置から閉位置への初期移動に応動してバリアのクリックストップ及び導通部材の短絡を解除して電源スイッチをオフする導電性部材とからなるものである。
【０００７】
また、前記導電性部材は、バリアの開閉動作により転がり移動される形状をしているとともに、前記一対の導通部材の隣り合う端部は、導電性部材が嵌まり込むように凹形状をしているものである。また、前記導電性部材は球形状をしているとともに、前記一対の導通部材の隣り合う端部は、前記導電性部材の球形状に対応した凹の半球状をしているものである。また、前記バリアの裏面には、バリアの開閉動作により導通部材が短絡する短絡位置と導通部材の短絡が解除される解除位置との間で導電性部材を移動させるガイド溝が形成してあるものである。また、前記導通部材の端部とは別の端部をブラシ状に形成し、前記導通部材をカメラ本体の前面に取り付けた際に、前記ブラシ状の端部が電源スイッチに接続したフレキシブル基板の一端部に接触されるようにしたものである。
【０００８】
また、カメラの電源スイッチがオンされることにより撮影可能位置に繰り出され、電源スイッチがオフされることにより沈胴位置に収納される沈胴式のレンズ鏡胴を有するカメラに設けられ、レンズ鏡胴の前面を覆う閉位置とレンズ鏡胴の繰り出しを許容する開位置との間で移動自在に設けられたバリアを少なくとも開位置でクリックストップするクリックストップ機構において、前記バリアに隠されるカメラ本体の前面に長手方向がバリアの開閉方向と直交する方向に配置され、少なくとも一部が互いに所定の隙間でほぼ平行に離間された棒状の弾性を有する一対の導通部材と、前記バリアの開位置で前記一対の導通部材とバリアの裏面との間に嵌まることによりレンズバリアを開位置にクリックストップするとともに導通部材を短絡して電源スイッチをオンするオン位置とバリアの開位置から閉位置への初期移動に応動して前記一対の導通部材の少なくとも一方から外れることにより導通部材の短絡を解除して電源スイッチをオフするオフ位置との間で移動される導電性の球状部材とからなるものである。
【０００９】
【発明の実施の形態】
図１〜図３において、カメラ１のカメラ本体２を覆う前カバー３の前面には、バリア４が上下端に設けられたレール部４ａ，４ｂを介して沈胴式のズームレンズ５の撮影光軸に直交する方向にスライド自在に取り付けられている。バリア４は、ズームレンズ５を露呈する開位置（図１及び図３の実線で示す位置）と、ズームレンズ５を覆う閉位置（図３の二点鎖線で示す位置）との間でスライド移動される。前カバー３の前面とバリア４との間には、ズームレンズ５の鏡胴５ａの移動制御を行う電源スイッチを兼ねた本発明のクリックストップ機構６が組み込まれている。なお、符号７は後カバーであり、符号８はファインダである。
【００１０】
クリックストップ機構６は、バリア４に隠れる前カバー３の前面に長手方向がバリア４の移動方向と直交する方向となるようにビス止めされた一対の導通部材１０，１１と、バリア４が開位置にあるときに導通部材１０，１１のわずかな隙間をもって互いに相対する先端部１０ａ，１１ａに嵌まり込んで導通部材１０，１１を短絡させる導電性部材としての球１３と、バリア４の裏面に一体に形成され、球１３の移動を規制する突条部１５ａと突起部１５ｂ付きのガイド溝１５とから構成される。
【００１１】
一対の導通部材１０，１１は、それぞれ細長い短冊状をした弾性を有する金属接片で、図４に示すように、先端部１０ａ，１１ａは一体的にほぼ半球状をした凹部に形成されており、この凹部に球１３が嵌まり込むようになっている。また、導通部材１０，１１の先端部１０ａ，１１ａ側が弾性変形しやすく、かつ球１３が導通部材１０，１１の幅方向の中心に位置しやすくなるように、導通部材１０，１１の先端部１０ａ，１１ａから長手方向に沿って所定の長さだけ溝１０ｂ，１１ｂが形成してある。
【００１２】
先端部１０ａ，１１ａと反対側の後端部１０ｃ，１１ｃはブラシ状に形成され、導通部材１０，１１を前カバー３の前面にビス止めした際に、前カバー３の表面に配置されたフレキシブル基板１７，１８に接触して電気的に接続される。このフレキシブル基板１７，１８は、カメラ本体２の内部に組み込まれた制御回路の電源スイッチに接続されている。この電源スイッチは、導通部材１０，１１の短絡時にカメラ本体２の電源をオンにして鏡胴５ａを撮影可能位置に繰り出すとともに、導通部材１０，１１の短絡解除時に鏡胴５ａを沈胴位置に収納した後、カメラ本体２の電源をオフにする。
【００１３】
また、端部１０ａ，１１ａ側と対面する前カバー３には、端部１０ａ，１１ａの弾性変形を許容する細長い窪み部３ａが形成されている。そして、窪み部３ａの隣には、仕切り壁３ｂを挟んで、バリア４が閉位置にあるときに球１３が嵌まり込む短い窪み部３ｃが形成されている。なお、仕切り壁３ｂの上部の断面形状は、球１３が乗り越えやすいように円弧状になっている（図３）。
【００１４】
ガイド溝１５の突条部１５ａは、バリア４のスライド方向に沿って細長いトラック形状をしており、バリア４を閉位置から開位置に移動させる際には、カメラ本体２の中央寄りの角部２０が球１３を押して窪み部３ｃから窪み部３ａに移動させる。そして、ガイド溝１５の突起部１５ｂは、バリア４を開位置から閉位置に移動させる際に球１３を押して窪み部３ａから窪み部３ｃに移動させる。
【００１５】
ズームレンズ５の鏡胴５ａの近傍には、バリア４の不用意な閉じ操作を阻止するストッパー部材２２が設けられている。このストッパー部材２２は、図５に示すように、鏡胴５ａの沈胴方向に進退自在に設けられ、バネ２３によって前カバー３の孔３ｄから先端部２２ａが突出される方向に付勢されている。また、ストッパー部材２２の回転防止のため、側部に形成された溝２２ｂにカメラ本体２に固定されたピン２４が係合している。そして、ストッパー部材２２の後端部に設けられた鉤状部２２ｃが、鏡胴５ａの後端部に係合しており、鏡胴５ａの沈胴位置と撮影可能位置との往動に応じてストッパー部材２２が撮影光軸方向に進退される。
【００１６】
このように構成されたカメラでは、バリア４が閉位置にあるときには、球１３は窪み部３ｃに嵌まっており、電源はオフ状態になっている。また、ストッパー部材２２は鏡胴５ａの後端部に押し下げられて後カバー７側に移動している。また、バリア４のレール部４ａ，４ｂに形成された一対の凹部２５が、前カバー３のレール部２７，２８に形成された突起部２７ａ，２８ａに係合してバリア４が閉位置にクリックストップされている。
【００１７】
カメラを使用するには、閉位置にあるバリア４を開位置に移動させる。バリア４を移動させてゆくと、バリア４が開位置に達する直前に、突起部１５ｂが球１３に当接し、バリア４を移動させている指にやや抵抗を感じる。この抵抗感に抗してバリア４の移動を継続すると、突起部１５ｂによって球１３がカメラ本体２の端側に押される。これにより、球１３は仕切り壁３ｂを乗り越えて窪み部３ａ側に移動し、ほぼ半球状の凹部を構成する先端部１０ａ，１１ａとガイド溝１５との間に嵌まり込み、導通部材１０，１１が短絡してカメラ本体２の電源がオンになる。
【００１８】
さらに、バリア４の開操作を継続すると、突起部１５ｂは球１３を乗り越えた後、突条部１５ａの角部２０が球１３に当接し、それ以上の移動が阻止される。この結果、球１３の上部は突条部１５ａの角部２０と突起部１５ｂとの間に挟まれ、下部は先端部１０ａ，１１ａに嵌まり込み、かつ導通部材１０，１１の弾性によってガイド溝１５側に付勢された状態となって、バリア４は開位置にクリックストップされる（図３参照）。
【００１９】
電源オンによって鏡胴５ａが沈胴位置から撮影可能位置に繰り出されるとともに、鏡胴５ａの後端部によるストッパー部材２２の規制が解除され、バネ２３の付勢によってストッパー部材２２の先端部２２ａがバリア４のスライド移動の軌道上に突出される。この先端部２２ａによって不用意なバリア４の閉操作が阻止され、バリア４の縁が鏡胴５ａの周面に当接して鏡胴５ａが損傷する事故が防止される。
【００２０】
撮影が終了したらバリア４を開位置から閉位置に移動させる。この開始時には、ガイド溝１５の突起部１５ｂが球１３を鏡胴５ａ側に押して窪み部３ｃに移動させる。球１３による導通部材１０，１１の短絡が解除されるから、鏡胴５ａが撮影可能位置から沈胴位置に移動された後、カメラ本体２の電源がオフされる。このように、バリア４の閉操作開始と同時に鏡胴５ａの沈胴動作が開始されるから、通常の閉操作ではバリア４の縁がストッパー部材２２にあたることもなくスムーズなバリア４の閉操作を行うことができる。
【００２１】
鏡胴５ａの沈胴動作に伴って鏡胴５ａの後端部に押されてストッパー部材２２の先端部２２ａが後カバー７側に移動してバリア４のスライド移動の軌道上から退避されるから、バリア４の閉操作が継続できる。バリア４の閉操作を継続すると、突起部１５ｂが球１３を乗り越えた後、突条部１５ａの他方の角部２１が球１３に当接して、それ以上の閉操作が阻止されるとともに、一対の凹部２５が突起部２７ａ，２８ａに係合してバリア４が閉位置にクリックストップされる。
【００２２】
次に、クリックストップ機構の第２実施形態を図６及び図７を参照しながら説明する。なお、以下の実施形態を示す各図面において最初の第１実施形態と同じ部材には同じ符号を付す。また、ストッパー部材の構成，作用は同じであるから説明を省略してある。クリックストップ機構４０は、球１３をバリア４１のスライド移動方向と直交する方向に移動させるようにしたもので、ガイド溝４１ａの一部が斜めに形成してある。
【００２３】
弾性を有する導通部材４４，４５は、Ｌ字型をしており、先端部４４ａ，４５ａはわずかに隙間をとって互いに相対し、一体的に半球状の凹部に形成されている。導通部材４４，４５の後端部４４ｂ，４５ｂには、カメラ本体２の制御回路の電源スイッチに連結されたリード線４６がハンダ付けされている。バリア４１の閉方向への移動に際して、図７に二点鎖線で示すように、球１３は一方の導通部材４４に沿って導通部材４４を弾性変形させながら移動されるから、先端部４４ａ，４５ａの下方に設けられた前カバー４８の窪み部４８ａは、導通部材４４側に長く形成されている。
【００２４】
バリア４１を閉位置から開位置に移動させると、導通部材４４の根元近くに位置していた球１３がガイド溝４１ａの斜めなった部分で、導通部材４５側に移動されるようになる。バリア４１が開位置に達すると、球１３は先端部４４ａ，４５ａの半球状の凹部に嵌まり込んで、バリア４１が開位置にクリックストップされるとともに、導通部材４４，４５が短絡してカメラ本体２の電源がオンになる。
【００２５】
バリア４１を開位置から閉位置に移動させると、球１３は導通部材４４の上に沿って移動した後、根元近くに停止される。この位置では、球１３と導通部材４４との間でクリックストップ機構は構成されないが、バリア４１の一対の凹部２５が、前カバー４８の突起部２７ａ，２８ａに係合してバリア４は閉位置にクリックストップされる。
【００２６】
第３実施形態を示す図８及び図９において、クリックストップ機構５０は、基本的には第２実施形態と同様にバリア５１のスライド移動方向と直交する方向に球１３を移動させるものであるが、導通部材５２，５３のうち一方の導通部材５３を長くして導通部材５３の後端部を屈曲させ、球１３が嵌まり込む凹部５３ａを形成することにより閉位置でもクリックストップ機構を構成したものである。また、ガイド溝５１ａは、斜め部分が２段階に形成されている。また、前カバー５５の窪み部５５ａは、導通部材５３の全長をカバーするサイズに形成されている。したがって、導通部材５３の取り付けは、導通部材５３の中間部に形成された突起部５３ｂを前カバー５５にビス止めすることにより行われている。
【００２７】
第４実施形態を示す図１０，図１１及び図１２において、クリックストップ機構６０を構成する一対の導通部材６１，６２は、平行して配置された丸棒状の金属接片としてある。導通部材６１，６２は疑問符状に屈曲されており、その直線状の先端部６１ａ，６２ａは、例えば球１３の直径より狭く半径より広い隙間をもって離間されている。また、導通部材６１，６２の後端部６１ｂ，６２ｂは、カメラ本体２と前カバー６３との間に挟持され、カメラ本体２の制御回路の電源スイッチに接続されたリード線６４，６５にハンダ付けされている。導通部材６１，６２の中間部は板ばね６６によってバリア６７側に付勢されている。
【００２８】
バリア６７の裏面には、バリア４の開閉方向に平行に細長いガイド溝６７ａが形成されている。このガイド溝６７ａの角部６８，６９とその内側に設けられた突起部７０とにより球１３の移動を規制する。球１３は、前カバー６３に形成された溝部６３ａ内で移動自在に設けられ、先端部６１ａ，６２ａの両方に接触してこれらを短絡させる位置と一方の先端部６２ａのみに接触して先端部６１ａ，６２ａの短絡を解除する位置との間で移動される。
【００２９】
バリア６７が開位置にあるときには、球１３の下部が先端部６１ａ，６２ａの両方に接触し、板ばね６６に付勢された先端部６１ａ，６２ａによって球１３がガイド溝６７ａ側に押しつけられ、球１３の上部がガイド溝６７ａの角部６８と突起部７０との間に嵌まった状態になって、バリア６７が開位置にクリックストップされている。また、この状態では、先端部６１ａ，６２ａが球１３によって短絡しているから、カメラ本体２の電源がオンになっている。
【００３０】
この状態からバリア６７を閉位置に移動開始すると、球１３は突起部７０によって鏡胴５ａ側へ押される。これにより、先端部６２ａが弾性変形して球１３の鏡胴５ａ側への移動を許容する。これと同時に球１３が先端部６１ａから離れるから、先端部６１ａ，６２ａの短絡が解除され、鏡胴５ａが沈胴されてからカメラ本体２の電源がオフになる。さらにバリア６７の移動を継続すると、溝６３ａの縁と先端部６２ａに接触して停止している球１３を突起部７０が乗り越える。バリア６７を閉位置まで移動すると、角部６９が球１３に当接してそれ以上の移動が阻止される。
【００３１】
以上説明した第１〜第３実施形態では、球が嵌まり込みやすいように、導通部材の先端部を一体的に半球状の凹部にしたが、所定の幅で屈曲させてＶ字型の凹部となるようにもよい。また、第４実施形態では、導通部材の先端部に球が接触されるようにしたが、導通部材の中間部にしてもよい。この場合には、導通部材をより弾性変形が容易な材料で形成するのが好ましい。また、導電性部材として球を用いたが、本発明はこれに限定されず、例えば円柱状や円筒状でもよい。また、沈胴式の撮影レンズとしてズームレンズを用いたが、単焦点レンズでもよい。
【００３２】
【発明の効果】
以上のように本発明のクリックストップ機構によれば、一対の導通部材をカメラ本体の前面に配置し、バリアの開閉動作に応動する導電性部材により、バリアの開位置で導通部材の短絡とバリアのクリックストップとを同時に行い、またバリアの開位置から閉位置への初期移動で導通部材の短絡とバリアのクリックストップとを解除するようにしたので、簡易な構成でありながらレンズ鏡胴の移動制御とバリアのクリックストップとを兼用でき、カメラの小型化やローコスト化に寄与できる。
【００３３】
また、導電性部材はバリアの開閉動作により転がり移動される形状にし、一対の導通部材の隣り合う端部は導電性部材が嵌まり込むように凹形状としたので、確実なクリックストップ機構を構成できる。また、導電性部材は球形状，一対の導通部材の隣り合う端部は凹の半球状にすると、簡易な構成で確実なクリックストップ機構を構成できる。また、バリアの裏面に導電性部材を移動させるガイド溝を形成したので、簡易な構成でバリアの開閉動作により導電性部材を移動させることができる。また、導通部材の端部とは別の端部をブラシ状に形成し、導通部材をカメラ本体の前面に取り付けた際に、ブラシ状の端部が電源スイッチに接続したフレキシブル基板の一端部に接触されるようにしたので、カメラ本体への取り付けが容易にできる。
【００３４】
また、一対の導通部材を少なくとも一部が互いに所定の隙間でほぼ平行に離間した棒状の弾性を有するものとし、バリアの開閉動作に応動する導電性の球状部材により、バリアの開位置で導通部材の短絡とバリアのクリックストップとを同時に行うとともに、バリアの開位置から閉位置への初期移動で導通部材の短絡とバリアのクリックストップとを解除するようにしたので、簡易な構成でありながらレンズ鏡胴の移動制御とバリアのクリックストップとを兼用でき、カメラの小型化やローコスト化に寄与できる。
【図面の簡単な説明】
【図１】本発明の第１実施形態のクリックストップ機構を示すバリアの一部を破断した平面図である。
【図２】図１のII−II断面図である。
【図３】図１のIII −III 断面図である。
【図４】導通部材の先端部の形状を示す説明図である。
【図５】図１のＶ−Ｖ断面図である。
【図６】第２実施形態のクリックストップ機構を示すバリアの一部を破断した平面図である。
【図７】図６のVII −VII 断面図である。
【図８】第３実施形態のクリックストップ機構を示すバリアの一部を破断した平面図である。
【図９】図８のIX−IX断面図である。
【図１０】第４実施形態のクリックストップ機構を示すバリアの一部を破断した平面図である。
【図１１】図１０のXI−XI断面図である。
【図１２】図１０のXII −XII 断面図である。
【符号の説明】
１  カメラ
２  カメラ本体
３，４８，５５，６３  前カバー
３ａ，３ｃ，４８ａ，５５ａ  窪み部
３ｂ  仕切り壁
４，４１，５１，６７  バリア
５  ズームレンズ
５ａ  鏡胴
６，４０，５０，６０  クリックストップ機構
１０，１１，４４，４５，５２，５３，６１，６２  導通部材
１３  球
１５，４１ａ，５１ａ，６７ａ  ガイド溝
１５ａ  突条部
１５ｂ，７０  突起部
２０，２１，６８，６９  角部
２２  ストッパー部材
６３ａ  溝
６６  板ばね
【図１】
0003909927.tif 000002
【図２】
0003909927.tif 000003
【図３】
0003909927.tif 000004
【図４】
0003909927.tif 000005
【図５】
0003909927.tif 000006
【図６】
0003909927.tif 000007
【図７】
0003909927.tif 000008
【図８】
0003909927.tif 000009
【図９】
0003909927.tif 000010
【図１０】
0003909927.tif 000011
【図１１】
0003909927.tif 000012
【図１２】
0003909927.tif 000013